(57)【特許請求の範囲】
【請求項１】
前面に開口部を有するスピーカユニット収納内箱と、前面にスピーカユニットの取付部と音を放射するための開口部を有し、上記スピーカユニット収納内箱を収納するために後部が開口したキャビネットと、上記取付部に取付けられたスピーカユニットと、上記スピーカユニット収納内箱を上記キャビネットに取付けて構成されるスピーカ装置であって、上記スピーカユニット収納内箱の開口部の端面と上記キャビネットの前面内側との間の全周に亘って配置され、上記スピーカユニット収納内箱の開口部の上記端面と上記キャビネットの前面内側とで押圧挟持される密閉クッションを有するスピーカ装置。
【請求項２】
キャビネットの内側側壁に、キャビネットにスピーカユニット収納内箱を取付けた時上記スピーカユニット収納内箱の側壁との間に隙間を有するように設定され上記取付けに用いられるボス部を設けた請求項１記載のスピーカ装置。
【発明の詳細な説明】
【０００１】
【発明の属する技術分野】
本発明はテレビジョン受像機等の映像用機器や自動車、情報通信等の各種音響機器に使用されるスピーカ装置に関するものである。
【０００２】
【従来の技術】
従来からスピーカ装置の低音域再生や広帯域再生を可能とする技術の一つとして、スピーカユニットをボックス構造体で覆うものが一般的に用いられている。
【０００３】
以下に従来のスピーカ装置について図３，図４により説明する。
同図において、１はボックス構造のスピーカ装置全体を示し、２は外側のキャビネットであり、３はスピーカユニット、４はキャビネット２とスピーカユニット３を固定するスピーカユニット取付けビスである。５はキャビネット２の後部の開口部に取付けられるバックカバーであり、６はキャビネット２とバックカバー５を密閉する枠状の密閉ゴムであり、７は密閉用のシーリング接着剤である。８はキャビネット２とバックカバー５を固定するバックカバー取付けビス、ａはスピーカユニット３の前から出る前面放出波、ｂはスピーカユニット３の後ろから出る後面放出波であり、９は入力コードである。
【０００４】
以上のように構成された従来のスピーカ装置について以下にその動作を説明する。まず、入力コード９に電気信号を印加するとスピーカユニット３に伝えられ、それがスピーカユニット３によって音響信号に変換され音の波が発生する。その際音の波として、スピーカユニット３の前面から出る音は正となる前面放出波ａとして発生し、スピーカユニット３の後面から出る音は負となる後面放出波ｂとして発生するため、これらがちょうど逆位相の関係となって打ち消しあおうとするが、それを干渉しないようにするためにスピーカユニット３をキャビネット２にスピーカユニット取付けビス４で固定し、周りをキャビネット２とバックカバー５で覆い密閉することにより、スピーカユニット３のみでは出すことのできなかった低音域再生を可能としていた。
【０００５】
更に、前後の影響度を極力無くすべく強固に且つ音や空気が漏れないようにキャビネット２とバックカバー５の間に密閉ゴム６を介しシーリング接着剤７を塗布しバックカバー取付けビス８を多用して固定することにより密閉性をより向上させ、性能向上を図っていた。
【０００６】
【発明が解決しようとする課題】
しかしながら上記の従来の構成では、スピーカユニット３から出る前面放出波ａと後面放出波ｂが互いに干渉しないようキャビネット２とバックカバー５で覆い、且つ密閉ゴム６とシーリング接着剤７でその最外周の嵌合部を埋め、更にバックカバー取付けビス８を多用して密閉性を確実に保つという手間のかかる方法をとっているため、キャビネット２とバックカバー５の密閉性確保が非常に繁雑で、キャビネット２の最外周の嵌合部の形状が複雑になったり、密閉ゴム６を異形状にしたり、更にはシーリング接着剤７を大量に使用せざる得ず、構造設計の複雑化や作業能率の低下、部品点数や工数が上がることによるコスト上昇をも招くことにもなっていた。
【０００７】
又、キャビネット２の最外周の嵌合部が複雑な形状をとっているため、ボックス構造体１全体が共振しやすくなり異常音の発生要因にもなっていた。特に、近年スピーカ装置の軽量化やコンパクト化が要求される中、キャビネット２やバックカバー５の材質に樹脂が使われることが多くなっているため、キャビネット２やバックカバー５の隔壁の厚さを厚くすることが構造上できず、より密閉性の確保と強度確保が困難となっていた。
【０００８】
本発明は上記従来の課題を解決するもので、スピーカ装置に必要な低音域再生を容易に実現することができ、更には高入力印加に対しても密閉性の高い、異常音の発生の無い耐久性に富んだ構造を持つ優れた音響性能を兼ね備え持ったスピーカ装置を提供することを目的とするものである。
【０００９】
【課題を解決するための手段】
本発明は、スピーカユニット収納内箱と、これを収納するキャビネットと、このキャビネットに設けたボス部と、上記スピーカユニット収納内箱の開口部端面と上記キャビネットの前面内側間に配置した密閉クッションとで構成したので、このボス部で上記スピーカユニット収納内箱を上記キャビネットに取付けた時、密閉クッションによってスピーカユニット収納内箱は極めて簡単な構造で密閉状態とすることができ、優れた低音の音響性能を有するスピーカ装置を実現できるものである。
【００１０】
【発明の実施の形態】
本発明の請求項１記載の発明は、前面に開口部を有するスピーカユニット収納内箱と、前面にスピーカユニットの取付部と音を放射するための開口部を有し、上記スピーカユニット収納内箱を収納するために後部が開口したキャビネットと、上記取付部に取付けられたスピーカユニットと、上記スピーカユニット収納内箱を上記キャビネットに取付けるとともに、スピーカユニット収納内箱の開口部の端面と上記キャビネットの前面内側間に全周に配置した密閉クッションを押圧挟持して上記スピーカユニット収納内箱を密閉する構成としたものであり、スピーカユニット収納内箱は極めて簡単な構造で密閉状態とすることができ、優れた低音の音響特性を容易に実現できるものである。
【００１１】
請求項２記載の発明は、請求項１記載のものに加えて、キャビネットの内側側壁にキャビネットにスピーカユニット収納内箱を取付けた時上記スピーカユニット収納内箱の側壁との間に隙間を有するように設定され上記取付けに用いられるボス部を設けた構成としたので、びりつきなどの異常音の発生を防止することができるものである。
【００１２】
以下、本発明の実施の形態について図１，図２により説明する。
（実施の形態１）
図１は断面図であり、図２は分解斜視図である。同図によると、２１はボックス構造のスピーカ装置の全体を示しており、２２は前面略中央にスピーカユニット２３の音をＡ方向に放射させる第２の開口部２２ａと上記スピーカユニット２３を取付けるためのビス孔２２ｂを設け、後部にスピーカユニット収納内箱２４を挿入するための第１の開口部２２ｇを有する樹脂成型された外側のキャビネットであり、２２ｃはこのキャビネット２２の内側の側壁周囲にキャビネット２２に一体に設けられた上記第１の開口部の端面から前面まで連続して設けられたボス部であり、上記スピーカユニット収納内箱２４をキャビネット２２に取付ける前面まで延長されてボス部２２ｃのひけの防止も兼ねたねじ孔２２ｄを設けた径大部２２ｅとキャビネット２２の側壁と連続する厚みの薄い連結部２２ｆとから構成されている。
【００１３】
上記スピーカユニット収納内箱２４は樹脂成型により形成されており、前面にスピーカユニット２３を挿入する開口部２４ａを有するとともに、周囲の側壁より外側に上記ねじ孔２２ｄに対応する孔部２４ｂを設けたバックカバー部２４ｃで構成されて、箱体となるものである。
【００１４】
２５は枠状に形成された密閉クッションであり、ねじ２６を孔部２４ｂを介してねじ孔２２ｄに締めつけてキャビネット２２にスピーカユニット収納内箱２４を取付けた時、上述の如く枠状であるので、キャビネット２２の前面とスピーカユニット収納内箱２４の開口部２４ａの端面全周に押圧挟持されて、スピーカユニット収納内箱２４内を密閉状態とするものである。
【００１５】
なお、キャビネット２２にスピーカユニット収納内箱２４を取付けた時、キャビネット２２とスピーカユニット収納内箱２４はねじ孔２２ｄ（ボス部２２ｃの端面）でのみ接触し、ボス部２２ｃとスピーカユニット収納内箱２４の側壁の外側とは隙間を設けるようボス部２２ｃの高さは設定されている。従って、キャビネット２２とスピーカユニット収納内箱２４の接触部分は極めて限定されているので、キャビネット２２の共振などによるびりつきなどの異常音の発生を防止することもできるものである。
【００１６】
また、２７はスピーカユニット２３をキャビネット２２の前面に取付けるためのビスであり、２８はスピーカユニット２３の入力コードであり、Ａは前面放出波、Ｂは後面放出波を示している。
【００１７】
なお、上記実施の形態においては、密閉クッション２５に枠形状のものを用いたが帯状のものを組み合わせてもよく、価格的にも有利である。
【００１８】
【発明の効果】
以上のように本発明によれば、スピーカユニット収納内箱の開口部端面とキャビネットの前面内側間に配置した密閉クッションを押圧挟持して、上記スピーカユニット収納内箱を密閉する構成としたものであり、スピーカユニット収納内箱は極めて簡単な構造で密閉状態とすることができ、優れた低音の音響特性を容易に実現できるものである。
【図面の簡単な説明】
【図１】本発明のスピーカ装置の一実施の形態の側断面図
【図２】同分解斜視図
【図３】従来のスピーカ装置の側断面図
【図４】同分解斜視図
【符号の説明】
２２  キャビネット
２２ａ  第２の開口部
２２ｃ  ボス部
２３  スピーカユニット
２４  スピーカユニット収納内箱
２５  密閉クッション
【図１】
0003744038.tif 000002
【図２】
0003744038.tif 000003
【図３】
0003744038.tif 000004
【図４】
0003744038.tif 000005